【事件の表示】
　特願２０００−３８０７８８号「カード用コネクタ」拒絶査定不服審判事件〔平成１４年　６月２８日出願公開、特開２００２−１８４４９０号〕について、次のとおり審決する。
【結　論】
　本件審判の請求は、成り立たない。
【理　由】
１．手続の経緯・本願発明
　本願は、平成１２年１２月１４日の出願であって、その請求項１に係る発明は、平成１５年３月１４日付けの手続補正書で補正された明細書及び図面の記載からみて、その特許請求の範囲の請求項１に記載された事項により特定される以下のとおりのもの（以下、「本願発明」という。）と認められる。
「一端側にカード挿入口を有するコネクタ本体と、コネクタ本体の他端側に設けられた複数のカード接続用端子と、コネクタ本体の他端側に設けられた一対のカード検知用端子と、各カード検知用端子を導通する導電部材とを備え、カードがコネクタ本体内の所定位置まで挿入されると、カード側の端子と前記カード接続用端子とを電気的に接続するようにしたカード用コネクタにおいて、
　前記導電部材をカード挿入方向に弾性変形可能な部材によって形成し、コネクタ本体内に挿入されたカードの先端が当接すると、カードの押圧により弾性力に抗して各カード検知用端子の少なくとも一方から所定距離だけ離れ、カードの排出によりカードとの当接が解除されると各カード検知用端子に接触するように形成したことを特徴とするカード用コネクタ。」
　
２．引用刊行物
　これに対して、原査定の拒絶の理由に引用された、本願の出願前に頒布された、特開平１１−４０２７０号公報（以下「刊行物」という。）には、図面と共に次の事項が記載されている。
（ａ）「挿入されたカードと接触するコンタクトと、前記カードの完全挿入を検知する回路に接続された一組の検知部材からなる検知部を有するカード用コネクタにおいて、前記検知部材の一方は完全挿入時に前記カードの一面に接触して該一面と直交方法に押圧されて前記回路を夫々閉じ又は開く湾曲突部を有することを特徴とするカード用コネクタ。」（【請求項１】）
（ｂ）「絶縁性のハウジング２には、カードＣを受容する為の通路４が形成されている。通路４は図１において下側に開口端６を有する。開口端６近傍の通路４は外側に向けて斜面８が設けられ、挿入されるカードＣを案内する。またハウジング２のカードＣを挿入する為の挿入口１０には材料節約の為の切欠き１２が形成されている。カードＣの板厚は約０．７６ｍｍに設定される。
　ハウジング２の底部には８個のコンタクト２０が４個ずつ対向して配置されている。各コンタクト２０は、一端側の取付部２０ｂでハウジング２０に取付けられ、他端側が自由端２０ａとなっている。自由端２０ａ近傍にカードＣのパッド（図示せず）との接点２０Ｃ（図３）がある。図において５０で示す部分はカードＣの完全挿入を検知する検知部である。」（段落【００１３】、【００１４】）
（ｃ）「通路４の終端４ａ近傍には検知部５０が設けられている。検知部５０は一組の検知部材（以下、単に部材という）５２、５４を有する。」（段落【００１７】）
（ｄ）「部材５２は、ハウジング２に圧入される板状の基部５６と、基部５６の後端近傍から上方に折り曲げられて基部５６の前部５６ａを超えて前方に延びるばねアーム５８と、基部５６の側縁から側方に延出して下方に折り曲げられた延長部６０と、この延長部６０から下方へ垂下するタイン６２とを有する。基部５６の前端５６ａ近傍にはハウジング２と係合するバーブ５６ｂを有する。ばねアーム５８は、その全長の略中間に上方に突出した湾曲突部５２ａを有し、湾曲突部５２ａの前方には段部５８ａを経て略平坦な接触片５８ｂが形成されている。接触片５８ｂは側方に延出した接片５８ｃを有する。
　他方、部材５４には略コ字状の基部６４と、この基部の上板６８から前方に延出する接触片６６と、基部６４の側板７０から前方に突出する脚７２と、底板７４から連続して垂下するタイン７６を有する。脚７２にはハウジング２と係合するバーブ７２ａが形成されている。部材５２と部材５４は、図１及び図４に示す如く接片５８ｃと接触片６６が重なるように配置される。通常、接片５８ｃは接触片６６に対し上方に付勢された状態、即ち予荷重をかけられた状態で接触し、閉回路を形成している。
　次に検知部材５２、５４と、カードＣとの関係について図５を参照して説明する。図５（Ａ）は、ハウジング２の通路４にカードＣが挿入される前の状態を示す部分断面図であり、（Ｂ）は挿入途中、（Ｃ）は完全挿入後の状態を夫々示す部分断面図である。
　まず図５（Ａ）を参照すると、カードＣの挿入前は部材５２の接片５８ｃと、部材５４の接触片６６は互いに当接していることがよくわかる。次に図５（Ｂ）を参照すると、カードＣの先端Ｃ１は、部材５２の湾曲突部５２ａのカードＣ側の斜面に当接している。この状態では、まだ接片５８ｃと接触片６６は互いに接触している。次に（Ｃ）では、カードＣは更に挿入されて、湾曲突部５２ａを下に押し下げて通路４の終端４ａまで完全に挿入されている。湾曲突部５２ａが押し下げられることにより接片５８ｃは接触片６６から離れ、閉回路は開回路となり、完全にカードＣが挿入されたことが検知される。」（段落【００１８】〜【００２１】）
（ｅ）「【発明の効果】本発明のカード用コネクタは、カードの完全挿入の検知部が一組の部材から構成され、その一方の部材はカードの一面に接触してこの一面と直交方向に押圧される湾曲突部を有するので次の効果を奏する。」（【００２６】）
（ｆ）図１、図３にはハウジング２の一端側にカードＣを挿入する為の挿入口１０が設けられ、他端側に一組の検知部材５２、５４が設けられることが図示されている。また、図１には複数のコンタクト２０がハウジング２の一端側から他端側にかけて設けられていることが図示されている。
　
　これらの記載事項及び図示内容を総合すると、刊行物には、
「一端側にカードＣを挿入する為の挿入口１０を有するハウジング２と、ハウジング２の一端側から他端側にかけて設けられた複数のコンタクト２０と、ハウジング２の他端側に設けられた一組の検知部材５２、５４とを備え、カードＣが完全挿入されると、カードＣのパッドとコンタクト２０の接点２０Ｃとを接触させるようにしたカード用コネクタにおいて、
　前記一組の検知部材５２、５４のうち、一方の検知部材５２は、カードＣの挿入に伴ってカードＣの一面と当接してカードＣの一面と直交方向に押し下げられるばねアーム５８を有し、カードＣの挿入前は一方の検知部材５２の接片５８ｃと他方の検知部材５４の接触片６６は互いに当接して閉回路となっており、カードＣの完全挿入時にはばねアーム５８ａがカードＣの一面と直交方向に押圧されて押し下げられて一方の検知部材５２の接片５８ｃが他方の検知部材５４の接触片６６から離れ、閉回路が開回路に切り換わることにより完全にカードＣが挿入されたことが検知されるカード用コネクタ。」の発明（以下、「引用発明」という。）が記載されていると認められる。
　
３．対比
　そこで、本願発明と引用発明とを対比すると、後者における「カードＣを挿入する為の挿入口１０」が、その機能・構造からみて前者における「カード挿入口」に相当し、同様に、「ハウジング２」が「コネクタ本体」に、「コンタクト２０」が「カード接続用端子」に、「完全挿入」が「コネクタ本体内の所定位置まで挿入」に、「カードＣのパッドとコンタクト２０の接点２０Ｃとを接触させる」が「カード側の端子とカード接続用端子とを電気的に接続する」に、それぞれ相当している。
　また、後者の「一組の検知部材５２、５４」のうち、一方の検知部材５２の「ばねアーム５８」は、弾性変形可能な部材であることは明らかであり、一方の検知部材５２の接片５８ｃが他方の検知部材５４の接触片６６から離れ、閉回路が開回路に切り換わることにより完全にカードＣが挿入されたことが検知されるのであるから、ばねアーム５８を含む一方の検知部材５２が導電部材であることも明らかなことである。また、一方の検知部材５２の接片５８ｃが他方の検知部材５４の接触片６６から離れると、完全にカードＣが挿入されたことが検知されるのであるから、ばねアーム５８を有する一方の検知部材５２と他方の検知部材５４が、一対のカード検知用端子として機能していることも明らかなことである。さらに、カードＣの挿入により離れた接片５８ｃと接触片６６とが、カードの排出によりカードＣとばねアーム５８との当接が解除されると、カードＣの挿入前の互いに当接した状態に戻ることも一組の検知部材５２、５４の機能からみて明らかなことである。
　そうすると、実質的に後者は前者の「一対のカード検知用端子と、各カード検知用端子を導通する導電部材」に相当する構成を備えているということができ、さらに前者と後者は、「導電部材をカードの挿入に伴って弾性変形可能な部材によって形成し、コネクタ本体内に挿入されたカードが当接すると、カードの押圧により弾性力に抗して各カード検知用端子の少なくとも一方から所定距離だけ離れ、カードの排出によりカードとの当接が解除されると各カード検知用端子に接触するように形成した」点で共通する構成を有するということができる。
　したがって、両者は、
「一端側にカード挿入口を有するコネクタ本体と、コネクタ本体に設けられた複数のカード接続用端子と、コネクタ本体の他端側に設けられた一対のカード検知用端子と、各カード検知用端子を導通する導電部材とを備え、カードがコネクタ本体内の所定位置まで挿入されると、カード側の端子と前記カード接続用端子とを電気的に接続するようにしたカード用コネクタにおいて、
　前記導電部材をカードの挿入に伴って弾性変形可能な部材によって形成し、コネクタ本体内に挿入されたカードが当接すると、カードの押圧により弾性力に抗して各カード検知用端子の少なくとも一方から所定距離だけ離れ、カードの排出によりカードとの当接が解除されると各カード検知用端子に接触するように形成したカード用コネクタ。」の点で一致し、以下の点で相違している。
　
　相違点１：本願発明においては、コネクタ本体に設けられた複数のカード接続用端子がコネクタ本体の他端側に設けられているのに対し、引用発明においては、ハウジング２の一端側から他端側にかけて設けられている点。
　相違点２：本願発明においては、弾性変形可能な部材は、カードの先端が当接するとカード挿入方向に弾性変形可能な部材であるのに対し、引用発明においては、弾性変形可能な部材に相当するばねアーム５８は、カードＣの一面と直交方向に弾性変形可能な部材である点。
　
４．当審の判断
　そこで上記相違点について検討する。
　まず、相違点１について検討する。
　カード接続用端子の設ける位置をコネクタ本体のどの位置とするかは、接続されるカード側の端子の設けられた位置等に応じて当業者が適宜決定し得ることであるから、本願発明が相違点１の構成とした点は単なる設計的事項にすぎない。
　
　次に、相違点２について検討する。
　引用発明においても、一方の検知部材５２のばねアーム５８は、カードの挿入に伴ってカードと当接すると押圧されて弾性変形することによりカードの挿入状態を検知できるものであり、このようなカードの挿入状態を検知する上で、本願発明のようにカード先端を当接させてカードの挿入方向に弾性変形させて検知するようにするか、引用発明のようにカードの一面と当接させてカードの一面と直交方向に弾性変形させて検知するようにするかは、搭載する機器の厚さ方向や奥行き方向のスペースなどを勘案して、当業者が適宜選択し得る程度の設計的事項にすぎず、カードの先端が当接するとカード挿入方向に弾性変形可能な導電部材は周知の技術（特許第２６１５１６１号公報の可動ブレード２６参照）であることからみても相違点２の構成とすることは当業者であれば容易に想到し得ることである。
　また、本願発明の効果も格別なものではなく当業者の予測し得る範囲内のものである。
　
５．むすび
　したがって、本願発明は、引用発明に基づいて当業者が容易に発明をすることができたものであるので、特許法第２９条第２項の規定により特許を受けることができない。
　よって、結論のとおり審決する。